(57)【要約】【課題】ノズル内の閉塞物を効率よく、短い時間で、且つ安全に除去することができる、酸素洗浄パイプ及び酸素洗浄装置を提供すること。【解決手段】一端側が鉛直方向に延在するパイプであり、一端の反対側の他端から内部に酸素ガスが供給される外管４０と、鉛直方向に延在するパイプであり外管４０の一端側の内部に収容される管部４１０と、管部４１０の内部に複数設けられる鉄線４１１及び鉄板４１５の少なくとも一方と、鉛直方向の下側端部に設けられ酸素ガスの圧力を受ける受圧部４１３と、を有し、外管４０を通じて供給される酸素ガスの圧力を、受圧部４１３が受けることで、鉛直方向の上方へと移動可能に構成される外管４１と、鉄線４１１及び鉄板４１５の少なくとも一方と受圧部４１３とは溶接で接合される。【選択図】図２
2019000909.tif 000002
【特許請求の範囲】
【請求項１】
一端側が鉛直方向に延在するパイプであり、前記一端の反対側の他端から内部に酸素ガスが供給される外管と、
前記鉛直方向に延在するパイプであり前記外管の前記一端側の内部に収容される管部と、前記管部の内部に複数設けられる鉄線及び鉄板の少なくとも一方と、前記鉛直方向の下側端部に設けられ前記酸素ガスの圧力を受ける受圧部と、を有し、前記外管を通じて供給される前記酸素ガスの圧力を、前記受圧部が受けることで、前記鉛直方向の上方へと移動可能に構成される内管と、
を備え、
前記鉄線及び鉄板の少なくとも一方と前記受圧部とは溶接で接合されることを特徴とする酸素洗浄パイプ。
【請求項２】
前記内管は、前記鉛直方向の上側端部に、着火剤及び鉄線の少なくとも一方を有することを特徴とする請求項１に記載の酸素洗浄パイプ。
【請求項３】
前記内管は、前記受圧部の外周に設けられ、前記受圧部の外周面と前記外管の内周面との隙間をシールするシール部材をさらに有し、
前記受圧部は、前記管部の外径よりも大きな外径を有し、
前記外管の前記一端側の内径は、前記受圧部の外径よりも小さく、前記管部の外径よりも大きいことを特徴とする請求項１または２に記載の酸素洗浄パイプ。
【請求項４】
前記内管が上方へと移動しないように、前記内管と前記外管とを接続するロック機構をさらに備え、
前記ロック機構は、溶鋼によって溶解する鋼製の部材であることを特徴とする請求項１〜３のいずれか１項に記載の酸素洗浄パイプ。
【請求項５】
前記内管が上方へと移動しないように、前記内管と前記外管とを接続するロック機構をさらに備え、
前記ロック機構は、前記内管と前記外管との接続を解除可能な解除手段を有することを特徴とする請求項１〜３のいずれか１項に記載の酸素洗浄パイプ。
【請求項６】
請求項１〜５のいずれか１項に記載の酸素洗浄パイプと、
前記酸素洗浄パイプへ１０ｋｇ／ｃｍ２以上の圧力で酸素ガスを供給する酸素供給機構と、
を備えることを特徴とする酸素洗浄装置。
【請求項７】
前記酸素洗浄パイプを着脱可能な支持台をさらに備えることを特徴とする請求項６に記載の酸素洗浄装置。
【発明の詳細な説明】
【技術分野】
【０００１】
本発明は、酸素洗浄パイプ及び酸素洗浄装置に関する。
【背景技術】
【０００２】
製鉄所の製鋼工場では、精錬処理した溶鋼を鋳型に注入して凝固させることで、スラブ等の半製品や鋼塊などを鋳造する、鋳造工程が行われる。鋳造工程では、取鍋に収容された溶鋼を、タンディッシュや注入管を通じて鋳型に注入することで鋼の鋳造が行われる。この際、取鍋の底部に設けられたスライディングノズルを摺動させ、スライディングノズルの下側に設けられた下部ノズルから溶鋼を流出させる。また、溶鋼を詰まりなく取鍋から流出（自然開孔）させるため、スライディングノズルの上側に設けられた上部ノズル内には、詰め砂が詰められている。
【０００３】
しかし、詰め砂を詰めていたとしても、上部ノズル内での溶鋼の凝固などによって閉塞物が生じる可能性があり、スライディングノズルを摺動させても取鍋から溶鋼が流出しない状態である不開孔が発生する場合があった。
不開孔が発生した場合の措置として、例えば、特許文献１には、外管パイプ内に上昇可能な内管パイプを装着し、外管パイプに酸素を供給することで内管パイプをノズル内に挿入させて酸素洗浄させる方法が開示されている。また、特許文献２には、このような内管パイプに酸素受圧板やパッキンを内蔵させることで、少ない酸素量でも内管パイプを上昇させる方法が開示されている。
【先行技術文献】
【特許文献】
【０００４】
【特許文献１】特公昭５４−４１５４０号公報
【特許文献２】特開平８−２５０２５号公報
【発明の概要】
【発明が解決しようとする課題】
【０００５】
しかし、特許文献１，２の方法では、一度の作業で閉塞物を除去することが難しく、パイプ（内管パイプ及び外管パイプ）を何度も交換する必要があった。この際、高温の取鍋の下で、作業者が交換作業を行う必要があった。また、交換する使用後のパイプは、高温のものとなるため、交換作業には危険性が伴っていた。
また、連続鋳造を行う場合、取鍋からの漏鋼防止やノズルを開孔する際のノズル等への焼付きを防止するため、溶鋼が収容される前に、取鍋内のノズルを覆うように詰め砂が投入される。しかし、この詰め砂が溶鋼によって焼結してしまうことがあり、このような場合には、溶鋼が排出されない不開孔の状態となる。このような不開孔が発生し、ノズルが開孔するまでに時間を要してしまうと、連続鋳造プロセスでは連々切れが発生する。連々切れが発生すると、新たなタンディッシュを準備する必要性があることから、生産能率が低下し、製造コストの増加を招いてしまう。
【０００６】
そこで、本発明は、上記の課題に着目してなされたものであり、ノズル内の閉塞物を効率よく、短い時間で、且つ安全に除去することができる、酸素洗浄パイプ及び酸素洗浄装置を提供することを目的としている。
【課題を解決するための手段】
【０００７】
本発明の一態様によれば、一端側が鉛直方向に延在するパイプであり、上記一端の反対側の他端から内部に酸素ガスが供給される外管と、上記鉛直方向に延在するパイプであり上記外管の上記一端側の内部に収容される管部と、上記管部の内部に複数設けられる鉄線及び鉄板の少なくとも一方と、上記鉛直方向の下側端部に設けられ上記酸素ガスの圧力を受ける受圧部と、を有し、上記外管を通じて供給される上記酸素ガスの圧力を、上記受圧部が受けることで、上記鉛直方向の上方へと移動可能に構成される内管と、を備え、上記鉄線及び鉄板の少なくとも一方と上記受圧部とは溶接で接合されることを特徴とする酸素洗浄パイプが提供される。
本発明の一態様によれば、上記の酸素洗浄パイプと、前記酸素洗浄パイプへ１０ｋｇ／ｃｍ２以上の圧力で酸素ガスを供給する酸素供給機構と、を備えることを特徴とする酸素洗浄装置が提供される。
【発明の効果】
【０００８】
本発明の一態様によれば、ノズル内の閉塞物を効率よく、短い時間で、且つ安全に除去することができる、酸素洗浄パイプ及び酸素洗浄装置が提供される。
【図面の簡単な説明】
【０００９】
【図１】本発明の一実施形態に係る酸素洗浄装置を示す模式図である。
【図２】酸素洗浄パイプを示す断面図である。
【図３】内管の管部及び鉄線を示す断面図である。
【図４】酸素洗浄パイプの動作を示す説明図である。
【図５】受圧部が外管の一端側に配された状態を示す断面図である。
【図６】本発明の一実施形態に係る酸素洗浄方法を示す説明図である。
【図７】酸素洗浄パイプの変形例を示す一部断面図である。
【図８】酸素洗浄装置の変形例を示す模式図である。
【図９】酸素洗浄パイプの変形例を示す一部側面図である。
【図１０】酸素洗浄パイプの変形例を示す一部側面図である。
【図１１】図１０の変形例における、解除ピンを用いた開放動作を示す説明図である。
【図１２】酸素洗浄パイプの内管の変形例を示す一部側面図である。
【発明を実施するための形態】
【００１０】
以下の詳細な説明では、本発明の完全な理解を提供するように、本発明の実施形態を例示して多くの特定の細部について説明する。しかしながら、かかる特定の細部の説明がなくても１つ以上の実施態様が実施できることは明らかであろう。また、図面は、簡潔にするために、周知の構造及び装置が略図で示されている。
【００１１】
＜酸素洗浄装置＞
本発明の一実施形態に係る酸素洗浄装置１について説明する。図１に示すように、酸素洗浄装置１は、不開孔となった取鍋２を開孔させる装置である。取鍋２は、溶鋼３を収容する容器であり、鉄皮の内側に耐火物がライニングされる。取鍋２の底部には、溶鋼３を流出するための、上部ノズル２０と、スライディングノズル２１と、下部ノズル２２とが設けられる。また、上部ノズル２０、スライディングノズル２１及び下部ノズル２２を、まとめてノズル２３ともいう。
【００１２】
上部ノズル２０は、取鍋２の底部の鉄壁及び耐火物に形成された孔に挿入された状態で固定される。スライディングノズル２１は、中央に孔が設けられた多層式のプレートであり、少なくとも１枚のプレートが他のプレートに対して摺動可能に設けられる。図１の例では、スライディングノズル２１は３層式のプレートであり、積層方向の中央のプレートが他の２枚のプレートに対して、図１の左右方向に摺動可能に構成される。また、積層方向（図１の上下方向）の上側のプレートは上部ノズル２０に固定され、下側のプレートには下部ノズル２２が固定される。鋳造工程では、取鍋２に収容された溶鋼３を、ノズル２３を通じて流出させ、タンディッシュや注入管へと移注することで鋳造が行われる。この際、スライディングノズル２１のプレートが摺動することで、上部ノズル２０と下部ノズル２２との孔がスライディングノズル２１を通じてつながり、この孔を通じて溶鋼３が下部ノズル２２から流出することとなる。なお、このスライディングノズル２１を摺動させて溶鋼３を流出させる動作を開口動作という。
【００１３】
このような取鍋２では、溶鋼３や詰め砂がノズル２３内で凝固した閉塞物が生じてしまうと、開口動作を行っても溶鋼３が取鍋２から排出されない不開孔の状態となる。例えば、連続鋳造機にて鋳造を行う連続鋳造法の場合、取鍋２をタンディッシュ上の所定の位置に配した後、開口動作を行うことで鋳造が行われるが、この際にノズル２３内に閉塞物が在ると不開孔となる。また、注入管を通じて大型の鋳型に溶鋼を注入して鋼塊を鋳造するインゴット造塊法の場合、１つの取鍋で複数の注入管に溶鋼を注入することがある。このような場合、注入が一度行われると、次の注入が行われるまでは、ノズル２３から溶鋼３が流出しないようにスライディングノズル２１を摺動させてノズル２３を閉じた状態にする。このため、２回目以降の注入を行う場合には、ノズル２３に閉塞物が生じやすくなるため、不開孔が発生しやすくなる。
【００１４】
図１に示すように、酸素洗浄装置１は、酸素洗浄パイプ４と、支持台５と、酸素供給ホース６と、酸素供給機構８とを備える。
酸素洗浄パイプ４は、図２に示すように、外管４０と、内管４１とを有する。
外管４０は、金属製のＬ字型に屈曲した円筒状のパイプであり、一端側が鉛直方向（図１及び図２の上下方向）に延在し、他端側が水平方向（図１及び図２の左右方向）に延在して設けられる。外管４０の他端側は、支持台５に着脱可能に固定される。また、外管４０の一端側の内径は、外管４０の他の箇所の内径よりも小さいことが好ましい。
【００１５】
内管４１は、管部４１０と、６本の鉄線４１１と、着火剤４１２と、受圧部４１３と、シール部材４１４とを有する。
管部４１０は、鉄製の円筒状のパイプであり、鉛直方向に延在して配される。また、管部４１０は、外管４０の一端側に挿通して設けられる。管部４１０の外径は、外管４０の一端側の内径よりも小さい。
【００１６】
６本の鉄線４１１は、管部４１０と同じ長さの鉄線であり、管部４１０の内側に周方向に並んで配される。また、６本の鉄線４１１は、管部４１０の内部で移動しないよう、各鉄線４１１と管部４１０の内面とが接触し、さらに隣り合う鉄線４１１同士が接触した状態で設けられる。このような管部４１０及び鉄線４１１からなるパイプは、酸素ランス、酸素溶断棒またはランサー棒ともいう。
【００１７】
着火剤４１２は、外管４０の外側となる、管部４１０の鉛直方向の上側端部に固定して設けられる。着火剤４１２は、閉塞したノズル２３内、特に閉塞物７の近傍程度の温度で燃焼するものであればよく、例えば、酸化鉄（Ｆｅ２Ｏ３）やメタルアルミ、塩素酸カリウム等の混合物に油を含浸させたもの等をメタルメッシュ入りゴムホースに詰めたものであってもよい。また、着火剤４１２は、管部４１０の上端、あるいは管部４１０の上端側の外周面に固定されることで設けられる。
【００１８】
受圧部４１３は、金属製の円筒状部材であり、管部４１０の下端に接続して固定される。受圧部４１３は、外管４０へと供給される酸素ガスの圧力を受ける部材であり、外径が管部４１０の外径よりも大きく、内径が管部４１０の内径よりも小さく構成される。内管４１は、受圧部４１３にかかる酸素ガスの圧力によって、鉛直方向上側へと移動可能に構成される。つまり、受圧部４１３の内径及び外径は、内管４１が鉛直方向上側へ移動可能なように、内管４１の重量や用いられる酸素ガスの流量または圧力に応じて決定される。なお、外管４０の一端側の内径が外管４０の他の箇所の内径よりも小さい場合には、受圧部４１３の外径が外管４０の一端側の内径よりも小さくなることが好ましい。さらに、受圧部４１３には、外周面にシール部材４１４を嵌めるための凹部が形成される。
【００１９】
また、受圧部４１３は、自身の上面と、６本の鉄線４１１の下端（図２の下側の端）とが溶接によって接合される。このようにすることで、後述する酸素洗浄を行う際に、鉄線４１１の内管４１からの飛び出しを防止することができる。鉄線４１１の内管４１からの飛び出し防止の方法としては、内管４１を加締めることで、内管４１と６本の鉄線４１１とを固定される手段も考えられる。しかし、このようなに加締めを用いた方法では、６本の鉄線４１１及び受圧部４１３を有する、重量の大きな内管４１を押し上げる程度の高い酸素圧力に耐え得ることが難しく、酸素圧力によって鉄線４１１が飛び出る可能性が高くなる。また、内管４１の形状が変わってしまうため、本実施形態のように酸素洗浄を行う際に、外管４０の中を内管４１が移動するような構造においては、内管４１のスムーズな移動が阻害される可能性が出てくるため好ましくない。さらに、内管４１の機械的な耐久性も低下してしまう。
【００２０】
シール部材４１４は、オーリング等のパッキンである。シール部材４１４は、受圧部４１３の外周面に形成された凹部に嵌めこまれ、受圧部４１３の外周面と外管４０の内周面との隙間をシール（密封）する。なお、シール部材４１４として、オーリング等のパッキンを２つ以上設けてもよい。
【００２１】
支持台５は、酸素洗浄パイプ４を保持する台であり、酸素洗浄パイプ４の外管４０の他端側を着脱可能に固定する。また、支持台５は、酸素供給ホース６が接続され、内部に設けられた酸素供給経路（不図示）を介して、酸素供給ホース６から供給される酸素ガスを外管４０内へと供給する。
【００２２】
酸素供給ホース６は、可撓性を有するホースであり、一端側が支持台５に接続され、他端側が酸素供給装置（不図示）に接続される。酸素供給ホース６は、酸素供給機構８から供給される酸素ガスを支持台５へと供給する。
酸素供給機構８は、酸素洗浄パイプ４に、１０ｋｇ／ｃｍ２以上の圧力で酸素を供給する装置や設備である。酸素洗浄パイプ４に供給する酸素圧力を１０ｋｇ／ｃｍ２以上とすることが好ましい。このようにすることで、酸素洗浄に必要な押し付け圧を確実に確保することができる。供給される酸素圧力が１０ｋｇ／ｃｍ２未満となる場合、必要な押し付け圧が確保できず、確実にノズル２３を開孔できない可能性が生じる。押し付け圧を確保する観点からは、供給される酸素圧力は高い方が好ましい。しかしながら、酸素圧力が高すぎる場合、酸素圧力に耐えるために酸素洗浄装置１の耐久性を上げる必要があり、装置重量の増加による操作性の悪化や装置製造のコスト増加に繋がる。このため、外管４０へと供給される酸素圧力は１５．０ｋｇ／ｃｍ２以下とすることが好ましい。
【００２３】
上記構成の酸素洗浄装置１では、酸素供給機構８から酸素ガスが供給されると、供給された酸素ガスが酸素供給ホース６及び支持台５を通じて、酸素洗浄装置１の外管４０内に他端側から供給される。そして、外管４０内に供給された酸素ガスは、外管４０の一端側へと移動する。この際、図４に示すように、供給される酸素ガスの圧力が内管４１の受圧部４１３にかかることで、内管４１が鉛直方向上側へと移動する。なお、外管４０の一端側の内径が外管４０の他の箇所の内径よりも小さい場合、図５に示すように、受圧部４１３と外管４０の一端とが当接するため、内管４１が外管４０から抜けることを防止することができる。
【００２４】
＜取鍋の酸素洗浄方法＞
次に、酸素洗浄装置１を用いた取鍋２の酸素洗浄方法について説明する。本実施形態では、まず、図６（Ａ）に示すように、不開孔となった取鍋２のノズル２３が内管４１の鉛直方向の上方に位置するように、取鍋２及び酸素洗浄装置１の少なくとも一方の位置を調整する。
次いで、スライディングノズル２１を摺動させて開口動作を行った状態で、酸素供給機構８から酸素供給ホース６へと酸素ガスを供給する。この際、酸素供給機構８から供給される酸素ガスの圧力を１０ｋｇ／ｃｍ２以上とすることが好ましい。
【００２５】
この際、酸素ガスが酸素洗浄パイプ４へと供給された後、受圧部４１３へと酸素ガスの圧力がかかることで、図６（Ｂ）に示すように、内管４１が鉛直方向上側へと移動する。移動した内管４１は、ノズル２３内に挿入され、ノズル２３内に形成された閉塞物７に先端の着火剤４１２が当接する。そして、高温の閉塞物７と接触することによって着火剤４１２が燃焼し、さらに供給される酸素ガスと内管４１との燃焼（酸化反応）によって生じる熱により閉塞物７が溶断・除去される。なお、処理初期における閉塞物との燃焼を促進させるため、予め、別に設けたトーチやバーナ等を用いて、着火剤４１２を燃焼させた状態で、閉塞物７に着火剤４１２を接触させてもよい。この燃焼反応による閉塞物７の除去処理を、酸素洗浄処理という。酸素洗浄処理は、ノズル２３内の閉塞物７が除去され、ノズル２３から溶鋼３が流出するまで行われる。この際、酸素供給装置から酸素ガスが継続して供給された状態で酸素洗浄処理が行われる。なお、酸素ガスの流量を一定として酸素洗浄処理を行ってもよく、内管４１の先端が閉塞物７に当接するまでは酸素ガスの流量を内管４１が上側へ移動可能な程度の低い流量とし、当接した後には酸素ガスの流量を上げて酸素洗浄処理を行ってもよい。
酸素洗浄処理では、ノズル２３が開孔するまでは酸素ガスが継続して供給されることにより、内管４１は、先端が溶解しても酸素ガスの流量に応じた圧力で押し上げられ、先端が閉塞物７に一定の圧力で押し当てられた状態となる。このため、閉塞物７に継続して熱を与えることができる。
【００２６】
＜変形例＞
以上で、特定の実施形態を参照して本発明を説明したが、これら説明によって発明を限定することを意図するものではない。本発明の説明を参照することにより、当業者には、開示された実施形態とともに種々の変形例を含む本発明の別の実施形態も明らかである。従って、特許請求の範囲に記載された発明の実施形態には、本明細書に記載したこれらの変形例を単独または組み合わせて含む実施形態も網羅すると解すべきである。
【００２７】
例えば、上記実施形態では、受圧部４１３はシール部材４１４が設けられた円筒状の部材であるとしたが、本発明はかかる例に限定されない。受圧部４１３は、酸素ガスによって内管４１が鉛直方向上側へ移動でき、且つ管部４１０の内部に酸素ガスが供給されるものであれば、上記実施形態と異なる形状や構成であってもよい。例えば、受圧部４１３は、中央に孔が形成された円板であってもよい。また、受圧部４１３には、シール部材４１４が設けられなくてもよい。
【００２８】
また、上記実施形態では、酸素洗浄パイプ４を図２に示す構成としたが、本発明はかかる例に限定されない。例えば、図７に示すように、外管４０の上側の先端が、先端側ほど外径が小さくなるように、テーパー４０１が設けられた構成としてもよい。酸素洗浄の処理が進むと、酸素洗浄パイプ４には溶鋼が垂れてくる。このような場合に、外管４０の先端に溶鋼が付着してしまうと、外管４０や外管４０の先端近傍の内管４１が溶けてしまい、酸素洗浄を続行できなくなる。しかし、外管４０の先端にテーパー４０１を設けることにより、垂れてきた溶鋼が、外管４０に付着しづらくなり、上記のトラブルの発生を抑制することができる。さらに、図７に示すように、受圧部４１３にシール部材４１４が２段または３段以上の複数段設けられてもよい。シール部材４１４を複数段とすることで、受圧部４１３と外管４０とのシール性が向上し、鉄線４１１や受圧部４１３が設けられ、重量の大きな内管４１を、高い酸素圧力でより確実に上昇させることができるようになる。
【００２９】
また、上記実施形態では、インゴット造塊法における注入時の不開孔の場合に、酸素洗浄装置１を用いることとしたが、本発明はかかる例に限定されない。例えば、連続鋳造法において発生する不開孔についても酸素洗浄装置１を用いてもよい。この場合、図１に示すように酸素洗浄装置１を据え置き型のものとしてもよいが、図８に示すように、持ち運び可能なユニットとしてもよい。図８に示す酸素洗浄装置１では、支持台５は設けられず、作業者が外管４０の内管４１が設けられた側と反対側の水平方向に延在する部分を保持し、着火剤４１２をノズル２３に挿入することで酸素洗浄処理が行われる。なお、図８に図示していない、酸素洗浄パイプ４の端部には、酸素供給ホース６を介して、酸素供給機構８が接続される。このような酸素洗浄をタンディッシュ上に取鍋２を配した状態で行う場合、取鍋２とタンディッシュとの隙間が狭くなるため、インゴット造塊法に用いられる酸素洗浄パイプ４に比べ、外管４０の垂直方向に平行な部分の長さが短くなる。
【００３０】
さらに、連続鋳造法において発生する不開孔に酸素洗浄装置１を用いる場合、図９に示すように、酸素洗浄パイプ４にロック機構４２を設けてもよい。ロック機構４２は、外管４０に内管４１が降下して収容された状態において、内管４１が上方へ移動しないように、内管４１と外管４０とを接続する機構である。ロック機構４２は、内管４１の外面に接続された環状部を有する第１固定部４２１と、外管４０の外面に接続された環状部を有する第２固定部４２２と、第１固定部４２１の環状部と第２固定部４２２の環状部とを結ぶ接続部４２３とを有する。第１固定部４２１、第２固定部４２２及び接続部４２３は、溶鋼によって溶解するように、鋼製となる。接続部４２３は、図１０に示す例では、チェーンであるが、鋼製のワイヤー等の他のものであってもよい。連続鋳造法において発生する不開孔に酸素洗浄装置１を用いる場合、詰め砂が焼結等によって凝固した閉塞部となるため、着火剤４１２だけでは酸素洗浄パイプ４が着火しない可能性がある。このため、作業者が、タンディッシュ内の残鋼に着火剤４１２を浸して着火させた後、ノズル２３に着火をさせることで、開孔の精度を向上させや開孔に係る時間を短縮させることができるようになる。しかし、このようにタンディッシュ内の残鋼に着火剤４１２を浸す場合、酸素洗浄パイプ４の着火剤４１２が設けられた先端側が、鉛直方向の下側へと向けられるため、内管４１が外管４０から飛び出てしまい、落下する可能性がある。しかし、ロック機構４２を設けることにより、このような内管４１の落下を防止することができる。また、ロック機構４２は鋼製であるため、酸素洗浄処理が行われると、発生する溶鋼によって溶解し、内管４１と外管４０が解放され、内管４１の上昇が可能となることから、必要な押し付け圧も確保することができる。さらに、ロック機構４２を設けることにより、内管４１が外管４０から飛び出ないように固定されるため、酸素ガスを流した状態で、ノズル２３への着火剤４１２の挿入を行うことができる。これにより、酸素洗浄処理を一人の作業者でも行うことができるようになる。なお、上記の作業者が酸素洗浄パイプ４を手持ちで酸素洗浄を行う処理については、作業可能な環境であれば、インゴット造塊法における注入時の不開孔時に適用することもできる。
【００３１】
さらに、インゴット造塊法における注入時の不開孔に酸素洗浄装置１を用いる場合においても、ロック機構４２を適用してもよい。この場合、図１０に示すようなロック機構４２を適用することができる。図１０に示す例では、ロック機構４２は、第１固定部４２１と、第２固定部４２２と、接続部４２３と、解除ピン４２４とを有する。第１固定部４２１、第２固定部４２２及び接続部４２３は、図９に示すものと同じである。解除ピン４２４は、図１１に示すように、第１固定部４２１の円幹部と接続部４２３の上部とを接続するものである。解除ピン４２４は、略環状の形状を有し、一部に途切れた開放部４２４ａを有する。このようなロック機構４２では、図１１（Ａ）、図１１（Ｂ）及び図（Ｃ）に順に示すように、解除ピン４２４を、開放部４２４ａと反対側へと引き抜くことで、解除ピン４２４が第１固定部４２１及び接続部４２３から解放される。解除ピン４２４の引き抜き方法としては、解除ピン４２４に予めワイヤー等を接続しておき、作業者がこのワイヤーを引っ張ることで引き抜くことができる。これにより、内管４１と外管４０とが解放され、酸素ガスによって内管４１が上昇することができるようになる。インゴット造塊法における注入時の不開孔に酸素洗浄装置１を用いる場合、初期の着火を促進するため、上述のように、トーチやバーナ等によって着火剤への着火が事前に行われる場合がある。このような場合、トーチやバーナ等の火種が、酸素洗浄装置１の近くにない場合には、着火させた後に酸素洗浄装置１を移動させる必要が生じる。この場合、着火を持続させるために酸素ガスをある程度流す必要があるが、ロック機構４２がない場合には、火種による着火時や酸素洗浄装置１の移動時において、内管４１が外管４０から飛び出てしまう。しかしこのような場合において、ロック機構４２を設けることにより、内管４１が飛び出ないように固定された状態で、酸素洗浄を行う位置まで酸素洗浄装置１を移動させることができる。酸素洗浄装置１を移動させた後は、解除ピン４２４を引き抜くことで、上記実施形態と同様な処理を行うことができる。なお、図１０及び図１１では、解除ピン４２４を用いたロック機構４２としたが、同様な効果が得られる、つまり内管４１と外管４０との接続を解除可能なようであれば他の解除手段を用いてもよい。
【００３２】
さらに、上記実施形態では、内管４１に６本の鉄線４１１を設ける構成としたが、本発明はかかる例に限定されない。例えば、６本の鉄線４１１の代わりに、図１２に示すように、３枚の板状の鋼製部材である鉄板４１５を設けてもよい。このような場合においても、３枚の鉄板４１５は、受圧部４１３と溶接によって接合される。また、６本に限らず鉄線４１１を複数とする構成、少なくとも１枚の鉄板４１５と少なくとも１本の鉄線４１１とを組み合わせて設ける構成であってもよい。なお、安定して酸素洗浄を行うためには、図３及び図１２に示すように、管部４１０の軸心に直交する断面視において、管部４１０の中心に空洞がある状態に、鉄線４１１及び鉄板４１５を配することが好ましい。このようにすることで、内管４１から酸素ガスが偏りなく噴射されるようになるため、安定して酸素洗浄処理を行うことができる。
【００３３】
＜実施形態の効果＞
（１）本発明の一態様に係る酸素洗浄パイプ４は、外管４０は、一端側が鉛直方向に延在するパイプであり、一端の反対側の他端から内部に酸素ガスが供給される外管４０と、鉛直方向に延在するパイプであり外管４０の一端側の内部に収容される管部４１０と、管部４１０の内部に複数設けられる鉄線４１１及び鉄板４１５の少なくとも一方と、鉛直方向の下側端部に設けられ酸素ガスの圧力を受ける受圧部４１３と、を有し、外管４０を通じて供給される酸素ガスの圧力を、受圧部４１３が受けることで、鉛直方向の上方へと移動可能に構成される内管４１と、を備え、複数の鉄線４１１及び鉄板４１５の少なくとも一方と受圧部４１３とは溶接で接合される。
【００３４】
ここで、特許文献１，２のように管部４１０のみからなるパイプをノズル２３内に挿入させて行う酸素洗浄処理では、一度の酸素洗浄処理ではノズル２３を開孔させることが困難であった。このような酸素洗浄処理における失敗は、パイプを閉塞物７に押し付けた状態で酸素洗浄処理を行うために酸素ガスの流量を増大させようとすると、ノズル２３や閉塞物７が酸素ガスによって冷却されるため、閉塞物７が十分に加熱されずに起こることを本発明者らは知見した。なお、酸素ガスの流量が低い場合においても、閉塞物７が十分に加熱されないため、酸素洗浄処理が失敗することとなる。このことから、本発明者らは、酸素洗浄処理における火力を上げることで、十分な酸素流量を確保しながらも、確実にノズル２３を開孔できることを知見し、本発明をするにいたった。
【００３５】
つまり、上記（１）の構成によれば、管部４１０の内部に鉄線４１１及び鉄板４１５の少なくとも一方（以下、「鉄線等」ともいう。）を設けた内管４１を用いることにより、管部４１０及び鉄線等が燃焼するようになるため、燃焼反応により生じる熱、つまり火力を向上させることができる。さらに、火力が向上することにより、酸素ガスの流量を十分に確保できるようになるため、内管４１を閉塞物７に押し付けた状態で酸素洗浄処理を行うことができ、短い時間で、確実にノズル２３を開孔させることができる。つまり、上記（１）の構成によれば、酸素洗浄パイプ４を交換せずともノズル２３を開孔させることができるため、ノズル２３内の閉塞物７を効率よく、且つ安全に除去することができるようになる。
【００３６】
また、内管４１は、鉄線等を有しているため、重量が大きくなる。このため、このような内管は、ガス圧で上昇させる機構には用いられてこなかった。しかし、本発明者らは、このような重量の大きな内管４１に対して、酸素ガスの圧力を高めることで、ノズル２３の閉塞物への押付圧を上昇させることに注目した。そして、酸素ガスの圧力の上昇によって、鉄線等の管部４１０からの飛び出しを防止するため、鉄線等を受圧部４１３に溶接して固定することを知見した。つまり、上記（１）の構成によれば、鉄線等１を受圧部４１３に溶接して固定することで、１０ｋｇ／ｃｍ２以上の高い酸素圧力にも対応することができる。
【００３７】
（２）上記（１）の構成において、内管４１は、鉛直方向の上側端部に、着火剤４１２及び鉄線の少なくとも一方を有する。
上記（２）の構成によれば、ノズル２３に内管４１を挿入した後、すぐに内管４１の先端を着火することができる。このため、酸素洗浄処理をより確実に、且つ短時間に行うことができる。
【００３８】
（３）上記（１）または（２）の構成において、内管４１は、受圧部４１３の外周に設けられ、受圧部４１３の外周面と外管４０の内周面との隙間をシールするシール部材４１４をさらに有し、受圧部４１３は、管部４１０の外径よりも大きな外径を有し、外管４０の一端側の内径は、受圧部４１３の外径よりも小さく、管部４１０の外径よりも大きい。
上記（３）の構成によれば、酸素ガスを供給させて内管４１を鉛直方向上側へと移動させる際に、内管４１が外管４０から抜けることを防止することができる。
【００３９】
（４）上記（１）〜（３）のいずれかの構成において、内管４１が上方へと移動しないように、内管４１と外管４０とを接続するロック機構４２をさらに備え、ロック機構４２は、溶鋼によって溶解する鋼製の部材である。
上記（４）の構成によれば、連続鋳造法において発生する不開孔に対して酸洗処理をする際に、不必要な内管４１の外管４０からの飛び出しを防止することができる。また、酸洗処理を作業者が行う場合に、酸素ガスを供給させた状態で酸素洗浄ランス４を取り回しできるため、作業性を向上させることができる。
【００４０】
（５）上記（１）〜（３）のいずれかの構成において、内管４１が上方へと移動しないように、内管４１と外管４０とを接続するロック機構４２をさらに備え、ロック機構４２は、内管４１と外管４０との接続を解除可能な解除手段（例えば、解除ピン４２４）を有する。
上記（５）の構成によれば、インゴット造塊法において発生する不開孔に対して酸洗処理をする際に、不必要な内管４１の外管４０からの飛び出しを防止することができる。また、酸素ガスを供給させた状態で酸素洗浄ランス４を取り回しできるため、作業性を向上させることができる。
【００４１】
（６）本発明の一態様に係る酸素洗浄装置１は、上記（１）〜（５）のいずれかの構成の酸素洗浄パイプ４と、酸素洗浄パイプ４へ１０ｋｇ／ｃｍ２以上の圧力で酸素ガスを供給する酸素供給機構８と、を備える。
上記（６）の構成によれば、鉄線等を有する内管４１を、外管４０から上昇させ、閉塞物を除去するために十分な押し付け圧で酸素洗浄を行うことができる。
【００４２】
（７）上記（６）の構成において、酸素洗浄パイプ４が着脱可能な支持台５を備える。
上記（４）の構成によれば、酸素洗浄装置１を据え置いて用いることができるようになる。このため、内管４１の管部４１０の長さ及び外管４０の鉛直方向に平行な部位の長さを長くすることができるようになり、インゴット造塊法における注入時の不開孔に酸素洗浄装置１を用いることができる。
【実施例】
【００４３】
次に、本発明者らが行った実施例について説明する。実施例では、上記実施形態と同様の酸素洗浄装置１を用いて、不開孔となった取鍋２に対して酸素洗浄処理を施しノズル２３の開孔を行った。また、比較例として、酸素洗浄装置１の変わりに特許文献２と同様なノズル孔詰まり除去ランスを用いて、酸素洗浄処理を行った。
【００４４】
表１に、実施例の結果を示す。表１において、「パイプ交換なしでの開孔成功率」は、酸素洗浄処理を複数回行ったうちの、１本の酸素洗浄パイプ４でノズル２３を開孔できた酸素洗浄処理の回数の比率を示し、「開孔に要したパイプの本数」は、ノズル２３が開孔するまでに要した酸素洗浄パイプ４の本数を示す。なお、実施例では１０回の酸素洗浄処理、比較例では１５回の酸素洗浄処理を行った。
【００４５】
【表１】
2019000909.tif 000003
【００４６】
表１に示すように、実施例の条件では、酸素洗浄パイプ４の交換をすることなく、一度の酸素洗浄処理で不開孔となったノズル２３を開孔できることが確認できた。これに対して、比較例の条件では、パイプ交換なしでの開孔成功率は３０％となり、開孔までのパイプの使用本数は２本〜３本となった。つまり、比較例の条件では、一度の酸素洗浄処理ではノズル２３を開孔させることが難しく、酸素洗浄パイプを交換しながら複数回の酸素洗浄処理を行わなければ開孔させることができなかった。これは、酸素洗浄パイプを閉塞物７に押し当てられる程度の、酸素ガスの流量とした場合に、火力が足りないために、開孔できないことがあることを示している。
以上のことから、上記実施形態に係る酸素洗浄装置１を用いることで、酸素洗浄パイプ４の交換をすることなく一度の酸素洗浄処理で開孔できるようになることから、ノズル内の閉塞物を効率よく、且つ安全に除去することができることが確認できた。
【符号の説明】
【００４７】
１  酸素洗浄装置
２  取鍋
２０  上部ノズル
２１  スライディングノズル
２２  下部ノズル
２３  ノズル
３  溶鋼
４  酸素洗浄パイプ
４０  外管
４１  内管
４１０  管部
４１１  鉄線
４１２  着火剤
４１３  受圧部
４１４  シール部材
４１５  鉄板
４２  ロック機構
４２１  第１固定部
４２２  第２固定部
４２３  接続部
４２４  解除ピン
４２４ａ  開放部
５  支持台
６  酸素供給ホース
７  閉塞物
８  酸素供給機構
【図１】
2019000909.tif 000004
【図２】
2019000909.tif 000005
【図３】
2019000909.tif 000006
【図４】
2019000909.tif 000007
【図５】
2019000909.tif 000008
【図６】
2019000909.tif 000009
【図７】
2019000909.tif 000010
【図８】
2019000909.tif 000011
【図９】
2019000909.tif 000012
【図１０】
2019000909.tif 000013
【図１１】
2019000909.tif 000014
【図１２】
2019000909.tif 000015